(57)【要約】【課題】  広告表示部分が薄くて見栄えが良く、また、看板全体が重いことによる取り扱い性の悪さが軽減され、更に、光源に電源を供給するための蓄電池に充電する際に電源コードを必要としない点で便利な、内照式スタンド看板を提供する。【解決手段】  内照式スタンド看板２は、面発光体５を備えた表示部３と、電動アシスト自転車用リチウムイオン電池８が着脱自在に収納された電池収納部４とを有し、面発光体５が、ＰＥＴフィルム（フィルム状基材）上に碁盤格子状（例えば、縦横の間隔３７．５ｍｍ）に多数配設されて電気的に接続された広角発光ＬＥＤチップ６の上に、ポリ塩化ビニルフィルム（透明プラスチックフィルム）が被覆されてなるユニットから構成され、リチウムイオン電池８が、面発光体５の光源用電源とされている。【選択図】図１
2014056093.tif 000002
【特許請求の範囲】
【請求項１】
面発光体を備えた表示部とリチウムイオン電池が着脱自在に収納された電池収納部とを有する内照式スタンド看板であって、
前記面発光体が、フイルム状基材上に碁盤格子状に多数配設されて電気的に接続された広角発光ＬＥＤチップの上に、透明プラスチックフィルムが被覆されてなるユニットから構成され、
前記リチウムイオン電池が、中型パワー用リチウムイオン電池であって前記面発光体の光源用電源とされている
ことを特徴とする内照式スタンド看板。
【請求項２】
前記面発光体が、フイルム状基材上に、２０ｍｍ〜５０ｍｍの範囲で同じ間隔の碁盤格子状に２０〜２５０個配設されて電気的に接続された発光角度が１００°〜１２０°であるＬＥＤチップの上に、透明プラスチックフィルムが被覆されてなるユニットから構成される、請求項１記載の内照式スタンド看板。
【請求項３】
前記表示部が、表面板と横部材と裏面板とを有する箱状体からなる、請求項１又は２記載の内照式スタンド看板。
【請求項４】
前記表面板の表面と前記面発光体のＬＥＤチップとの間隔が約２５ｍｍ〜約６０ｍｍである、請求項３記載の内照式スタンド看板。
【請求項５】
前記中型パワー用リチウムイオン電池が、電動工具、電動バイク及び電動アシスト自転車の何れかに用いることができる電池である、請求項１ないし４何れか１項に記載の内照式スタンド看板。
【請求項６】
前記中型パワー用リチウムイオン電池がマンガン酸リチウム電池である、請求項１ないし５何れか１項に記載の内照式スタンド看板。
【請求項７】
前記中型パワー用リチウムイオン電池がラミネート型である、請求項１ないし６何れか１項に記載の内照式スタンド看板。
【請求項８】
前記中型パワー用リチウムイオン電池が、６．５ｋｇ未満の質量を有する請求項１ないし７何れか１項に記載の内照式スタンド看板。
【発明の詳細な説明】
【技術分野】
【０００１】
本発明は、ＬＥＤチップが配設された面発光体を備え、リチウムイオン電池を光源用電源とする、内部照明式かつスタンド式看板に関する。
【背景技術】
【０００２】
街頭で広告宣伝等に使用される内照式スタンド看板は、発光体として蛍光灯が用いられる場合が多く（特許文献１）、その場合、蛍光灯を内蔵した広告表示部分（電飾看板部分）が厚くなり（例えば、厚さが約２００ｍｍ程度）、その結果、宣伝効果に直結する見栄えが優れず、また看板全体として重くなるため、作業者が一人で作業する場合の取り扱い性が悪いものと考えられる。作業者が一人で、特に困難なく運搬や据え付けが出来るか否かは、些末なことのようでもあるが、少子高齢化が高スピードで進む近年、現実には重要で切実な問題である。
【０００３】
一方、省エネルギーが要請される近年、基材上にＬＥＤチップを３、４個配設し、電気的に接続してなるものを一の単位（１ユニット、いわゆるモジュール化）とし、必要により複数ユニットを発光体として用いた看板の製品も知られている。しかし係る製品は、本願発明における「碁盤格子状に多数配設されて電気的に接続された広角発光ＬＥＤチップの上に、透明プラスチックフィルムが被覆されてなるユニットから構成された発光体」を用いていないためと思われるが、発光体を内蔵した広告表示部分の表面照度を均一にするには、やはり、広告表示部分の厚さは相当程度必要であった（例えば約２００ｍｍ程度）。
【０００４】
更に、特許文献１の看板は、基台に内蔵したバッテリを電源とする旨記載されているが、バッテリに充電するための電源コードを備えていることから、充電する場合は、例えば、テナントビルの中高層階の店内やその他固定された給電設備がある場所まで、看板全体を運ぶ必要があるという点で不便であった。
【先行技術文献】
【特許文献】
【０００５】
【特許文献１】特開２００３−６６８７６
【発明の概要】
【発明が解決しようとする課題】
【０００６】
本発明は、このような従来技術に鑑みて、広告表示部分が薄くて見栄えが良く、また、看板全体が重いことによる取り扱い性の悪さが軽減され、更に、光源に電源を供給するための蓄電池に充電する際に電源コードを必要としない点で便利な、内照式スタンド看板を提供しようとしてなされたものである。
【課題を解決するための手段】
【０００７】
すなわち、本発明は、
［１］面発光体を備えた表示部とリチウムイオン電池が着脱自在に収納された電池収納部とを有する内照式スタンド看板であって、前記面発光体が、フィルム状基材上に碁盤格子状に多数配設されて電気的に接続された広角発光ＬＥＤチップの上に、透明プラスチックフィルムが被覆されてなるユニットから構成され、前記リチウムイオン電池が、中型パワー用リチウムイオン電池であって前記面発光体の光源用電源とされていることを特徴とする内照式スタンド看板、
［２］前記面発光体が、フィルム状基材上に、２０ｍｍ〜５０ｍｍの範囲で同じ間隔の碁盤格子状に２０〜２５０個配設されて電気的に接続された発光角度が１００°〜１２０°であるＬＥＤチップの上に、透明プラスチックフィルムが被覆されてなるユニットから構成される、前記［１］記載の内照式スタンド看板、
［３］前記表示部が、表面板と横部材と裏面板とを有する箱状体からなる、前記［１］又は［２］記載の内照式スタンド看板、
[４] 前記表面板の表面と前記面発光体のＬＥＤチップとの間隔が約２５ｍｍ〜約６０ｍｍである、前記［３］記載の内照式スタンド看板、
[５] 前記中型パワー用リチウムイオン電池が、電動工具、電動バイク及び電動アシスト自転車の何れかに用いることができる電池である、前記［１］ないし[４]何れか１に記載の内照式スタンド看板、
[６] 前記中型パワー用リチウムイオン電池がマンガン酸リチウム電池である、前記［１］ないし[５]何れか１に記載の内照式スタンド看板、
[７] 前記中型パワー用リチウムイオン電池がラミネート型である、前記［１］ないし[６]何れか１に記載の内照式スタンド看板、及び
[８]  前記中型パワー用リチウムイオン電池が、６．５ｋｇ未満の質量を有する前記［１］ないし[７]何れか１に記載の内照式スタンド看板、
に関する。
本発明は、このような構成により以下の効果を奏する。
【発明の効果】
【０００８】
請求項１に記載の発明によれば、フィルム状基材上に碁盤格子状に多数配設された広角発光ＬＥＤチップの上に、透明プラスチックフィルムが被覆されてなるユニットを面発光体として用いるので、表示部の厚さを薄くすることが可能であり、そのことにより表示部の重さを軽減することが可能となり、また、鉛蓄電池等の他の蓄電池に比べて、同じ電気容量ならば軽量であるリチウムイオン電池(中型パワー用リチウムイオン電池)を使用しているので、内照式スタンド看板全体として、軽量化を達成できる。
また、前記碁盤格子状に多数配設されたＬＥＤチップを用いたユニットを面発光体としているので、表示部表面を均一に照らすことができ、宣伝効果に直結する、表示部に表された文字や絵柄の見栄えが向上すると共に、光源を蛍光灯とする場合に比較して、低消費電力で省エネルギーであり、長寿命である。
また、中型パワー用リチウムイオン電池が電池収納部に着脱自在に収納されているので、充電する際に固定電源に接続するための電源コードを必要とせず、固定された給電設備がある場所まで看板全体を運ぶ必要がない点で便利であると共に、近年、多方面に節電が求められる社会環境下、廉価な深夜電力を使用しての充電にも便利である。
【０００９】
請求項２に記載の発明によれば、前記碁盤格子状の内容、ＬＥＤチップの個数及び発光角度が特定されているので、表示部の厚さを薄くすること、及びそのことにより表示部の重さを軽減することが可能となることや表示部表面を均一に照らすことができる等の点において、請求項１の発明の効果をより確実に奏し得る。
【００１０】
請求項３に記載の発明によれば、表示部が、表面板と横部材と裏面板とを有する箱状体からなるので、表示部の厚さを薄くすること、及びそのことにより表示部の重さを軽減することが可能となることや表示部表面を均一に照らすことができる等の点において、請求項１又は２記載の発明の効果をより確実に奏し得る。
【００１１】
請求項４に記載の発明によれば、表面板の表面と面発光体のＬＥＤチップとの間隔が約２５ｍｍ〜６０ｍｍであるので、薄く且つ表示部表面を均一に照らすことができて、見栄えに優れ宣伝効果の高い内照式スタンド看板を提供することができる。
【００１２】
請求項５に記載の発明によれば、中型パワー用リチウムイオン電池が、電動工具、電動バイク及び電動アシスト自転車の何れかに用いることができる電池であるので、屋外使用環境に対して電池の信頼性が高い内照式スタンド看板を提供することができる。
【００１３】
請求項６に記載の発明によれば、中型パワー用リチウムイオン電池がマンガン酸リチウム電池であるので、安価で安全性に優れている電池を使用している点で有利な内照式スタンド看板を提供することができる。
【００１４】
請求項７に記載の発明によれば、中型パワー用リチウムイオン電池がラミネート型であるので、放熱性や実装密度で有利とされる電池を使用している点で有利な内照式スタンド看板を提供することができる。
【００１５】
請求項８に記載の発明によれば、電池収納部に収納された中型パワー用リチウムイオン電池が６．５ｋｇ未満の質量を有するものであるので、表示部に備えた面発光体がフィルム状基材上に碁盤格子状に多数配設されて電気的に接続された広角発光ＬＥＤチップの上に透明プラスチックフィルムが被覆されてなるユニットであることから、表示部の厚さを薄くすること及びそのことにより表示部の重さを軽減することが可能となることと相俟って、看板全体として軽量化された、内照式スタンド看板を提供することができる。
【図面の簡単な説明】
【００１６】
【図１】本発明の説明図であり、（ａ）は表面板の一部を破断した内照式スタンド看板の正面図、及び（ｂ）は、表示部のみを概念的断面で現した内照式スタンド看板の側面図である。
【図２】本発明に用いた面発光体の、一部を省略した縦断面図である。
【図３】図１における表示部の上部の概念的縦断面図であり、下部の一部を省略したものである。
【発明を実施するための形態】
【００１７】
本発明は、街頭、店舗前、路上等で広告宣伝等に使用される内照式スタンド看板に関し、製品の高さとしては、通常、子供から大人の背丈程度のものが多い。
【００１８】
本発明内照式スタンド看板の構成の概要は、面発光体を備えた表示部とリチウムイオン電池が着脱自在に収納された電池収納部とを有するものである。
前記面発光体に用いられるフィルム状基材とは、フィルムもしくはシートからなる基材を意味し、その材質としては、加工性等の点でプラスチックが好ましく、中でも、耐熱性、耐光性、機械的特性等に優れた、ポリエステル、ポリ塩化ビニル等が好ましい。
【００１９】
前記フィルム状基材上に配設される広角発光ＬＥＤチップは、発光角度が１００°〜１２０°の範囲で同一であることが好ましく、形状が平面丸型又は角形の表面実装型（ＳＭＤ型）が好ましい。配設個数は、内照式スタンド看板の通常の大きさから２０個以上が好ましい。また、２０個〜２５０個を１ユニットとし、必要により複数ユニット使用すると、配線・取付けを簡便にすることができる点で、好ましい。
【００２０】
前記ＬＥＤチップを碁盤格子状に配設する場合、２０ｍｍ〜５０ｍｍの範囲で縦・横共に同じ間隔の碁盤格子状にするのが、表示部表面を均一に照らすことを可能にする点で好ましい。最も外側のＬＥＤチップと面発光体の端部との間隔は、ＬＥＤチップ同士の間隔の半分であるのが好ましい。
【００２１】
フィルム状基材上に多数配設された前記ＬＥＤチップを電気的に接続する方法は特に限定されず、先ず、フィルム状基材上に電気配線を形成する。この方法として、例えば、フィルム状基材の片面に、予め導電性銀ペーストをスクリーン印刷することにより適宜のプリント配線をしておき、このプリント配線をフィルム状基材に重ね合わせる如く貼着する方法、金属箔を積層してその金属箔部分をエッチングする方法、及び蒸着により金属薄膜を形成する方法等が挙げられる。
その後、電気配線を形成したフィルム状基材上に、ＬＥＤチップを配設する方法としては、ハンダ付けや接着剤等による固定（接合）手法が採用できる。
【００２２】
本発明において用いられる面発光体は、フィルム状基材上に碁盤格子状に多数配設されて電気的に接続された広角発光ＬＥＤチップの上に、透明プラスチックフィルムが被覆されてなるユニットである。この被覆用透明プラスチックフィルムの材質としてはポリスチレン、ポリエステル、ポリ塩化ビニル、ＡＢＳ等が、機械的強度、耐候性に優れ、加工性が良い点で好ましく、特にポリ塩化ビニルが好ましい。
被覆は、ＬＥＤチップと透明プラスチックフィルムの間に隙間が生じないように、ＬＥＤチップの外形に充分密着させて行うのが好ましい。密着被覆されていると、隙間から空気が入り込むことを防止できる。このため、空気の膨張によるＬＥＤチップの微動や不均一な乱反射を防止でき、面発光体の見栄えも向上させることができる。
【００２３】
面発光体には、フィルム状基材におけるＬＥＤチップと反対側の面（裏側）に、面発光体の安定化、施工性の向上、更に、ＬＥＤチップ及び電気的に接続された回路の放熱性を高めるために、粘着剤層を介して厚さ０．４〜０．６
ｍｍ程度のアルミ板を設けてもよい。
【００２４】
本発明における表示部が、表面板と横部材と裏面板とを有する箱状体からなる場合等、前記アルミ板と裏面板とを接着剤（粘着剤）を介して接合する。
【００２５】
本発明における表示部は、後述する実施例においては、上方に向かう程、電池収納部側に僅かに傾斜した湾曲した箱状体とされているが、これに限られるものではない。本発明の看板は、例えば、外形が平面視長方形の直方体状の電池収納部の上に、電池収納部とは別体からなり、表面板と一対の横部材と裏面板とを有する直方体状箱体で構成された広告表示部が垂直に立設してなるものであってもよい。
【００２６】
面発光体のＬＥＤチップと表面板表面との間隔（ｈとする）は、ＬＥＤチップの配設間隔（ピッチ、Ｌとする）により変化させることが、発散する光をムラなく表面板の表面に拡散させて均一に照らすことができる点で好ましい。
例えば、発光角度が約１００°〜１２０°の範囲で同一で、形状が平面角形の表面実装型（ＳＭＤ型）のＬＥＤチップを用いた場合で、更にＬＥＤチップのピッチＬが３７．５ｍｍの場合、ｈは、所定条件下、約５０ｍｍ以下とすることができ、Ｌが２５ｍｍの場合、ｈは、約３０ｍｍ以下とすることができることを本発明者は確認した。
【００２７】
本発明における面発光体が、フィルム状基材上に碁盤格子状に多数配設されて電気的に接続された広角発光ＬＥＤチップの上に、透明プラスチックフィルムが被覆されてなるユニットから構成されることにより、表示部の厚さを薄くすることができる点については、理論的・定量的説明が困難な面があるが、後述する実施例において説明する。
尚、表示部の厚さが薄くなれば、それに伴い、表示部を構成する材料が減少する結果、表示部の質量、ひいては本発明の看板の質量が減少することになる。
【００２８】
本発明においては、電池収納部に着脱自在に収納されたリチウムイオン電池が前記面発光体の光源用電源とされている。電池収納部は、通常、発光体を備えた表示部と別体として構成されるが、必ずしも面材等で区分されていることは要しない。
リチウムイオン電池は、エネルギー密度が高く、重量エネルギー密度的には、大凡、鉛蓄電池の１／５以下、ニッカド電池の１／３、の重さで同じエネルギーを放出する事ができるとされているので、同じ電気容量ならば、確実に軽量化を図ることができ、また、小型化も可能である。更に、単電池の公称動作電圧は３．７Ｖと他の蓄電池（鉛蓄電池の公称電圧は２．０Ｖ）と比較して高く、サイクル特性に優れ、メモリー効果がなく、保存特性も良いという特徴を有している。
リチウムイオン電池は、一般に電解質として有機溶媒を用いるが、本発明においては、有機溶媒に変えて、多孔質ポリマーに電解質を含ませてゲル状又は固体状にしたものを用いたリチウムポリマー電池をも、リチウムイオン電池の概念として含むものである。
【００２９】
中型パワー用リチウムイオン電池とは、例えば、電動工具、電動バイク又は電動アシスト自転車に用いられ得るリチウムイオン電池をいう。ノートパソコン、携帯電話、携帯ゲーム機、デジタルオーディオプレーヤー、デジタルカメラ等に用いられる小型モバイル用リチウムイオン電池や、ハイブリッド自動車、プラグインハイブリッド自動車、ピュア電気自動車等に用いられる大型パワー用リチウムイオン電池等に対応する概念である。
本発明の内照式スタンド看板の高さは、通常、子供から大人の背丈程度のものが多いので、対応する面積を有し、光源として多数のＬＥＤチップが配設された面発光体の電源として用いるには、小型モバイル用リチウムイオン電池では容量が小さ過ぎ、大型パワー用リチウムイオン電池では容量が大き過ぎる。
【００３０】
リチウムイオン電池（組電池）の質量は、小型モバイル用の数十ｇから、中型パワー用の１ｋｇ弱〜１０ｋｇ強、大型パワー用の１００ｋｇを超えるものまで種々知られている。中型パワー用リチウムイオン電池（組電池）としては、電気容量が２．５〜３０Ａｈ、電圧が３〜６５Ｖ、質量が６．５ｋｇ未満のものが好ましく用いられる。
本発明においては、電動工具用、電動バイク用及び電動アシスト自転車用のリチウムイオン電池の内でも、特に高出力は要しないが一定の容量を要する電動アシスト自転車用のリチウムイオン電池が好ましく用いられる。この場合は、電気容量が２．５〜２０Ａｈ、電圧が３〜５５Ｖ、質量が６．５ｋｇ未満のものが好ましい。
【００３１】
リチウムイオン電池製品は、負極材料として炭素材
が用いられ、正極材料としては、コバルト酸リチウムを用いるコバルト系、ニッケル酸リチウムを用いるニッケル系、マンガン酸リチウムを用いるマンガン系に大別される。本発明における中型パワー用リチウムイオン電池としては、安価で安全性に優れている点で、マンガン系リチウムイオン電池が好ましい。
【００３２】
また、リチウムイオン電池の形状による種類には、円筒形の巻回型と、積層体を四角い缶に入れた角型と、更に、負極、セパレータ、正極を平面状に重ねた積層体構造のラミネート型があるが、本発明における中型パワー用リチウムイオン電池としては、放熱性や実装エネルギー密度で有利とされるラミネート型が好ましい。ラミネート型の内でも、外装材としてアルミニウムと合成樹脂等をはり合わせたシート構造を採用したアルミラミネート型が、高い放熱性・実装エネルギー密度・長寿命・安全性を兼ね備えている点で好ましい。
【００３３】
中型パワー用リチウムイオン電池が、６．５ｋｇ未満の質量を有する場合は、通常、高さが、子供から大人の背丈程度である本発明内照式スタンド看板において、全体の質量を約４０ｋｇ未満に抑えることが容易となり、作業者が一人で運搬・据え付け等の作業をする場合の取り扱い性を改善することができる。
一方、文部科学省の「平成２０年度体力・運動能力調査」によると、成人男性（２０〜５０歳台）の平均握力は４４．５〜４８ｋｇ、６０歳台では３９〜４２ｋｇとされている。殆どがキャスターを備えており、形状や高さも一定ではない内照式スタンド看板の取り扱い性と扱う人の握力との関係は、一概に論じられないものの、内照式スタンド看板の質量が約４０ｋｇ以上になると、実際上、作業者が一人で運搬・据え付け等の作業をする場合の取り扱い性が著しく悪くなるとされていることと、前記握力のデーターとは何らかの関係があると考えられる。
【実施例】
【００３４】
以下、本発明の実施例について図面を参照しながら説明する。なお、各図面は部材とその関係を概念的に描いたもので、必ずしも実物を細部に亘って厳密に描いたものではない。
図１の（ａ）は表面板１の一部を破断した、内照式スタンド看板２の正面図であり、（ｂ）は、表示部３のみを概念的断面で現した、看板２の側面図である。
表示部３の下方側には電池収納部４が設けられ、（ｂ）に示すように、上方に向かう程、電池収納部４側に僅かに傾斜した湾曲した形状とされており、看板２全体の高さは、キャスター２０を含め、１５３５ｍｍである。
【００３５】
面発光体５は、４５ｃｍ×４５ｃｍをユニットとする発光体であり、縦に３枚接続されて全体の面発光体が構成されている。従って全体の表面積は０．６１ｍ2であり、ＬＥＤチップ６を全体で４３２個（各ユニット１４４個）使用している。
ＬＥＤチップ６としては、発光角度（いわゆるビュー角）が約１１０度で形状が平面角形の表面実装型（ＳＭＤ型）（日亜化学工業社製ＮＳＳＷ１００Ｄ、白色）を用いたが平面丸型であってもよい。
【００３６】
この例において、面発光体５は、ＬＥＤチップ６の縦・横の間隔が、大凡３７．５ｍｍ程度であり、それぞれプリント配線７（図２）で接続されている。
電動アシスト自転車用リチウムイオン電池８は、電池収納部４の所定位置に収納されており、電池８と、面発光体５のコード９とを、差し込み口１０を介して接続することにより、直流電力を面発光体５に供給することができる。なお、２４は定電流回路である。
【００３７】
電池８としては、アルミラミネートシートを外装材とするアルミラミネート型であって、正極材料としてマンガン酸リチウムを用いたリチウムイオン電池を用いた（エレクセル株式会社製、電動アシスト自転車用、電気容量１２Ａｈ、電圧４８Ｖ、質量６．１５ｋｇ、サイズ８７×１２６×４６５ｍｍ）。なお、１１は電池８の取り出し・運搬に便利な取手、１２はスイッチである。また、看板２の幅は、鉄製横部材１３を含め５００ｍｍであり、電池収納部４の奥行外寸（表示部３の下部の表面材１を計測開始点とした）は約５０ｃｍである。
【００３８】
図２は、図１に用いた面発光体５を取り出して一部を省略した縦断面図である。
ＬＥＤチップ６は厚さ８０〜１１０μｍの白色ＰＥＴフィルム（フィルム状基材）１４上に、プリント配線７と共に並べられ、ＬＥＤチップ６とプリント配線７は、厚さ１００μｍのポリ塩化ビニルフィルム（透明プラスチックフィルム）１５により熱ラミネートされている。ポリ塩化ビニルフィルム１５はＬＥＤチップ６の外形に添う形で充分密着被覆されているので、隙間は発生していない。
【００３９】
ＬＥＤチップ６とプリント配線７とは反対側の面（裏側）に粘着剤層１６及びアルミ板１７がこの順に設けられている。この面発光体の厚さは約４ｍｍ、質量はアルミ板１７を含め、全体で約１２００ｇであった。
【００４０】
図３は、図１における表示部の上部の概念的縦断面図であり、表示部３は、表面板１と、一対の横部材１３と裏面板１９とを有する箱状体から構成されている。横部材１３は、裏面板１９と一体の鉄製であり、表面側に延設されて断面コ字状に形成されたフレーム２３の溝に、表面板１が挿入されており、面発光体５に設けられたアルミ板１７は接着剤層(図示せず)を介して裏面板１９に貼付されている。
【００４１】
面発光体５のＬＥＤチップ６と表面板１の表面との間隔（ｈとする）は、ＬＥＤチップの配設間隔（ピッチ、Ｌとする）により変化させることが、発散する光をムラなく表面板の表面に拡散させて均一に照らすことができる点で好ましい。
表面板１として、半透明のアクリル系樹脂板、いわゆるアクリル乳半板（厚さ３ｍｍ、可視光線透過率４９〜６０％）を用い、ＬＥＤチップのピッチＬが３７．５ｍｍである前記面発光体５を用いた場合、ｈは、５０ｍｍであった。また、Ｌが２５ｍｍの面発光体を用いた場合、ｈは、３０ｍｍであった。
【００４２】
面発光体５が、白色ＰＥＴフィルム（フィルム状基材）１４上に碁盤格子状に多数配設されて電気的に接続された広角発光ＬＥＤチップ６の上に、ポリ塩化ビニルフィルム（透明プラスチックフィルム）１５が被覆されてなるユニットから構成されることにより、表示部３の厚さ（例えば面発光体５のＬＥＤチップ６と表面板１の表面との間隔ｈ）を薄くすることができる点については、理論的・定量的説明が困難な面があるが、発明者は、現時点で以下の通り考えている。
発光角度が約１１０度のＬＥＤチップを用いた場合、発光角度の有する意味より、ＬＥＤチップ６から発せられた光は、白色ＰＥＴフィルム（フィルム状基材）１４が構成する平面から垂直に、
Ｌ／２×ｔａｎ[(１８０°−１１０°)／２]
の間隔を隔てた位置において最大に拡散された状態となる。ｔａｎ３５°は０．７であるので、Ｌが３７．５ｍｍである場合、この値は１３．０ｍｍとなり、Ｌが２５ｍｍである場合、約８．８ｍｍとなる。
【００４３】
しかし、ＬＥＤチップ（素子）は点光源であるので、隣接するＬＥＤチップ（素子）から発せられた光とある程度の重なりがなければ発散光が均一にならず、表面板１の表面側から見た場合に、ＬＥＤチップのドットが生じる。
更に、表面板１（アクリル乳半板）の裏面に到達した光は、一部が透過するが一部は反射してポリ塩化ビニルフィルム（透明プラスチックフィルム）１５に向かう。これらの事情を考慮して、表面板１の表面に達した光がムラを生じることなく、均一な照度を発揮させるために、Ｌが３７．５ｍｍである場合、ｈは５０ｍｍを必要とし、Ｌが２５ｍｍの場合、ｈは、３０ｍｍを要するのである。
【００４４】
従来の、蛍光灯（通常、直径は約３０ｍｍ程度）を内蔵した看板の場合は、広告表示部分の厚さが約２００ｍｍ程度必要であったことからすると、前記ｈは非常に薄いものと言える。
【００４５】
また、ＬＥＤチップのピッチＬが３７．５ｍｍである前記面発光体５を用いた場合、内照式スタンド看板２の、リチウムイオン電池８を含めた質量は、３８．１ｋｇであった。
比較のために、リチウムイオン電池８の代わりに鉛蓄電池（古河電池株式会社製、ＦＰＸ１２１７０、電圧１２Ｖ、質量６ｋｇ、容量１７Ａｈ２０時間率）を用いたところ、２台要した（更に基板型電圧変換器も使用）ので、看板の質量は約４４ｋｇと、４０ｋｇを超え、一人では取扱い難いものであった。
【符号の説明】
【００４６】
１    表面板
２    内照式スタンド看板
３    表示部
４    電池収納部
５    面発光体
６    ＬＥＤチップ
７    プリント配線
８    電動アシスト自転車用リチウムイオン電池
１３  横部材
１４  白色ＰＥＴフィルム（フィルム状基材）
１５  ポリ塩化ビニルフィルム（透明プラスチックフィルム）
１７  アルミ板
１９  裏面板
２３  フレーム
【図１】
2014056093.tif 000003
【図２】
2014056093.tif 000004
【図３】
2014056093.tif 000005